(57)【要約】【課題】色再現を正確にし、色温度の調整を容易にする液晶ディスプレイのガンマ補正駆動システムを提供する。【解決手段】１水平走査期間内に三原色の画像デジタルコードを受け取るシフトレジスタと、三原色の画像デジタルコードを保持するサンプルホールド回路と、三原色の画像デジタルコードのうちの単色デジタルコードおよびこれに相当する単色のガンマ基準電圧を受け取って単色のガンマ補正電圧をそれぞれ出力する３組のデジタルアナログ変換器と、１水平走査期間内に切り換えを３回行ない、単色のガンマ基準電圧を選択してデジタルアナログ変換器へ出力するガンママルチプレクサと、デジタルアナログ変換器にそれぞれ接続され、ガンママルチプレクサの切り換えに応じて単色のガンマ補正電圧を受け取る３組のバッファとから構成される。【選択図】図２
2004133402.tif 000002
【特許請求の範囲】
【請求項１】
ディスプレイ装置に適用されるものであって、
１水平走査期間内に三原色の画像デジタルコードを受け取るシフトレジスタと、
前記三原色の画像デジタルコードを保持するサンプルホールド回路と、
前記三原色の画像デジタルコードのうちの単色デジタルコードおよびこれに相当する単色のガンマ基準電圧をそれぞれ受け取って、単色のガンマ補正電圧をそれぞれ出力する３組のデジタルアナログ変換器と、
前記１水平走査期間内に切り換えを３回行ない、前記単色のガンマ基準電圧を選択して前記デジタルアナログ変換器へそれぞれ出力するガンママルチプレクサと、
前記デジタルアナログ変換器にそれぞれ接続され、前記ガンママルチプレクサの切り換えに応じて前記単色のガンマ補正電圧をそれぞれ受け取る３組のバッファと
から構成されるガンマ補正の駆動システム。
【請求項２】
ディスプレイ装置に適用されるものであって、
１水平走査期間内に三原色の画像デジタルコードを受け取るシフトレジスタと、
前記三原色の画像デジタルコードを保持するサンプルホールド回路と、
前記三原色の画像デジタルコードから単色の画像デジタルコードを選択するマルチプレクサと、
前記単色の画像デジタルコードおよびこれに相当する単色のガンマ基準電圧を受け取り、単色のガンマ補正電圧を出力するデジタルアナログ変換器と、
前記１水平走査期間内に切り換えを３回行ない、前記単色のガンマ基準電圧を選択して前記デジタルアナログ変換器へそれぞれ出力するガンママルチプレクサと、
前記デジタルアナログ変換器に接続され、前記ガンママルチプレクサの切り換えに応じて前記単色のガンマ補正電圧を出力するバッファと
から構成されるガンマ補正の駆動システム。
【請求項３】
ディスプレイ装置に適用されるものであって、
単色の走査期間内に１つの単色の画像デジタルコードを受け取るシフトレジスタと、
前記単色の画像デジタルコードを保持するサンプルホールド回路と、
前記単色の画像デジタルコードおよびこれに相当する単色のガンマ基準電圧を受け取って、単色のガンマ補正電圧を出力するデジタルアナログ変換器と、
１水平走査期間内に、前記単色の走査期間に基づいて切り換えを３回行ない、前記単色のガンマ基準電圧を選択して、前記デジタルアナログ変換器へそれぞれ出力するガンママルチプレクサと、
前記デジタルアナログ変換器に接続され、前記ガンママルチプレクサの切り換えに応じて前記単色のガンマ補正電圧を出力するバッファと
から構成されるガンマ補正の駆動システム。
【請求項４】
ディスプレイ装置に適用されるものであって、
１水平走査期間内に１つの単色の画像デジタルコードを受け取るシフトレジスタと、
前記単色の画像デジタルコードを保持するサンプルホールド回路と、
前記単色の画像デジタルコードおよびこれに相当する単色のガンマ基準電圧を受け取って、単色のガンマ補正電圧を出力するデジタルアナログ変換器と、
１フレーム期間内に切り換えを３回行ない、前記単色のガンマ基準電圧を選択して、前記デジタルアナログ変換器へそれぞれ出力するガンママルチプレクサと、
前記デジタルアナログ変換器に接続され、前記ガンママルチプレクサの切り換えに応じて前記単色のガンマ補正電圧を出力するバッファと
から構成されるガンマ補正の駆動システム。
【発明の詳細な説明】
【技術分野】
【０００１】
　本発明は、液晶ディスプレイのデータ駆動システムに係り、特に、ＲＧＢ各色毎にそれぞれガンマ補正をすることのできる、ガンマ補正の駆動システムに関するものである。
【背景技術】
【０００２】
　ディスプレイの外的に表れる特性はすなわち、画像が表現する色彩が人の目にどう感じ取られるか、というところにある。ディスプレイ装置は、特性の異なる各種光電素子から構成されるため、それぞれに応じたガンマ補正電圧の変換曲線によって補正を行なう必要がある。
【発明の開示】
【発明が解決しようとする課題】
【０００３】
　現在のところ、データドライバによるガンマ補正は、１つのガンマ曲線をＲＧＢ三原色で共用するというものであり、その長所はハードウェアのコストを低減できることにあるが、（１）色毎個別に補正をかけることができず、色再現が不正確となる、（２）各色の色温度のバランスを調整するのが困難であるなどといった欠点を有している。図６に示すのは、８組のガンマ電圧と各ガンマ電圧にそれぞれ対応するデジタルコードとによって形成される変換曲線である。ＬＣＤにおいて８ビットのデジタルコードにより階調を表現するには、ＡＣ駆動の必要があるため、実際に必要とされるガンマ電圧は１６組である。
【０００４】
　上記に鑑みて、本発明は、ＲＧＢ三原色にそれぞれ対応する３つの異なるガンマ補正電圧によりガンマ補正を行なう駆動システムを提供して、正確な色再現を実現すると共に、色温度の調整が容易とすることを目的とする。
【課題を解決するための手段】
【０００５】
　すなわち、本発明は、ディスプレイ装置に適用されるものであって、１水平走査期間内に三原色の画像デジタルコードを受け取るシフトレジスタと、三原色の画像デジタルコードを保持するサンプルホールド回路と、三原色の画像デジタルコードのうちの単色デジタルコードおよびこれに相当する単色のガンマ基準電圧をそれぞれ受け取って、単色のガンマ補正電圧をそれぞれ出力する３組のデジタルアナログ変換器と、１水平走査期間内に切り換えを３回行ない、単色のガンマ基準電圧を選択してデジタルアナログ変換器へそれぞれ出力するガンママルチプレクサと、デジタルアナログ変換器にそれぞれ接続され、ガンママルチプレクサの切り換えに応じて単色のガンマ補正電圧をそれぞれ受け取る３組のバッファとから構成されるガンマ補正の駆動システムに関する。
【０００６】
　本発明はまた、ディスプレイ装置に適用されるものであって、１水平走査期間内に三原色の画像デジタルコードを受け取るシフトレジスタと、三原色の画像デジタルコードを保持するサンプルホールド回路と、三原色の画像デジタルコードから単色の画像デジタルコードを選択するマルチプレクサと、単色の画像デジタルコードおよびこれに相当する単色のガンマ基準電圧を受け取り、単色のガンマ補正電圧を出力するデジタルアナログ変換器と、１水平走査期間内に切り換えを３回行ない、単色のガンマ基準電圧を選択してデジタルアナログ変換器へそれぞれ出力するガンママルチプレクサと、デジタルアナログ変換器に接続され、ガンママルチプレクサの切り換えに応じて単色のガンマ補正電圧を出力するバッファとから構成されるガンマ補正の駆動システムに関する。
【０００７】
　本発明はまた、ディスプレイ装置に適用されるものであって、単色の走査期間内に１つの単色の画像デジタルコードを受け取るシフトレジスタと、単色の画像デジタルコードを保持するサンプルホールド回路と、単色の画像デジタルコードおよびこれに相当する単色のガンマ基準電圧を受け取って、単色のガンマ補正電圧を出力するデジタルアナログ変換器と、１水平走査期間内に単色の走査期間に基づいて切り換えを３回行ない、単色のガンマ基準電圧を選択してデジタルアナログ変換器へそれぞれ出力するガンママルチプレクサと、デジタルアナログ変換器に接続され、ガンママルチプレクサの切り換えに応じて単色のガンマ補正電圧を出力するバッファとから構成されるガンマ補正の駆動システムに関する。
【０００８】
　本発明はまた、ディスプレイ装置に適用されるものであって、１水平走査期間内に１つの単色の画像デジタルコードを受け取るシフトレジスタと、単色の画像デジタルコードを保持するサンプルホールド回路と、単色の画像デジタルコードおよびこれに相当する単色のガンマ基準電圧を受け取って、単色のガンマ補正電圧を出力するデジタルアナログ変換器と、１フレーム期間内に切り換えを３回行ない、単色のガンマ基準電圧を選択してデジタルアナログ変換器へそれぞれ出力するガンママルチプレクサと、デジタルアナログ変換器に接続され、ガンママルチプレクサの切り換えに応じて単色のガンマ補正電圧を出力するバッファとから構成されるガンマ補正の駆動システムに関する。
【発明の効果】
【０００９】
　以上説明したように、本発明によれば、ＲＧＢ三原色の各色ごとにガンマ補正ができるため、ディスプレイ装置に表示されるときの色再現がより正確となり、また、色温度の調整が容易となる。さらに、本発明の構成によれば、回路の素子数を少なくすることができるため、ハードウェアにかかるコスト削減を図ることができる。
【発明を実施するための最良の形態】
【００１０】
　以下に、本発明をより詳細に説明すべく、図面と対応させながら好適な実施の形態を例示するが、これによって本発明を限定しようとするのではない。
【００１１】
実施例１
　本実施例では、１水平走査期間内に、ガンマ電圧を３回切り換える方式でガンマ補正が行なうものである。この方式によれば１水平走査期間は、図２に示すように、Ｒ：ＯＮ、Ｇ：ＯＮ、Ｂ：ＯＮの３つに分割される。これらＲ：ＯＮ、Ｇ：ＯＮ、Ｂ：ＯＮは、図２における単位利得バッファ（unit gain buffer）５ａ、５ｂ、５ｃのスイッチＲSW、ＧSW、ＢSWが通電している時間をそれぞれ表す。つまり、各スイッチの通電時間に、ＲＧＢ三原色のサブピクセルへのデータ書き込みがそれぞれ行なわれることとなる。ＸＧＡを例にとると、その水平線一本の走査時間は２０．７ｕｓであるため、６．９ｕｓに１回ガンマ電圧を切り換える必要がある。図１中、ＲSW、ＧSW、ＢSWにそれぞれに対応する３つの波形は、１水平走査期間内に通電するスイッチＲSW、ＧSW、ＢSWの切換電圧を表している。
【００１２】
　図２に示すのは、本発明の実施例１による駆動システムの構成図である。駆動システムは、シフトレジスタ１と、サンプルホール回路２と、３つのデジタルアナログ変換器（ＤＡＣ）３ａ、３ｂ、３ｃと、ガンママルチプレクサ４と、データバス４とを含んでいる。シフトレジスタ１は３組からなっており、シリアルデータバス１５を介して伝送されてくる水平走査期間のＲＧＢ三原色の画像デジタルコードを受け取り、水平走査期間内のＲＧＢ三原色の画像デジタルコードを出力する。サンプルホールド回路２は３組からなっており、シフトレジスタ１によってＯＮにされ、データバス６を介してシフトレジスタ１から水平走査期間内のＲＧＢ三原色の画像デジタルコードを保持する。デジタルアナログ変換器（ＤＡＣ）３ａ、３ｂ、３ｃは、サンプルホールド回路２のＲ、Ｇ、Ｂの出力２ａ、２ｂ、２ｃにそれぞれ接続される。単位利得バッファ５ａ、５ｂ、５ｃは、スイッチＲSW、ＧSW、ＢSWを介してそれぞれデジタルアナログ変換器３ａ、３ｂ、３ｃに接続される。このような構成により、ガンママルチプレクサ４が選択信号１１に基づき、通電時間Ｒ：ＯＮ、Ｇ：ＯＮ、Ｂ：ＯＮに応じて各単色のガンマ基準電圧（Ｒ−Ｖref、Ｇ−Ｖref、Ｂ−Ｖref）を選択しデジタルアナログ変換器３ａ、３ｂ、３ｃへそれぞれ出力すると、さらに、デジタルアナログ変換器３ａ、３ｂ、３ｃが、スイッチＲSW、ＧSW、ＢSWの通電時間Ｒ：ＯＮ、Ｇ：ＯＮ、Ｂ：ＯＮに応じ、単位利得バッファ５ａ、５ｂ、５ｃを介して各色のデータ線ＲDL、ＧDL、ＢDLへそれぞれ出力することとなる。
【００１３】
実施例２
　単位利得バッファのファンアウトが充分であれば、図３に示すような構成とすることもできる。図３においては、シフトレジスタ１とサンプルホールド回路２の構成は変えていない。つまり、１水平走査期間のＲＧＢ三原色の画像デジタルコードを記憶し保持するという入力データフォーマットは同じままである。ただし、本実施例では、デジタルアナログ変換器３ａを１組だけとするため、単色の画像デジタルコード１つを選択して出力するマルチプレクサ４が必要となる。また、単位利得バッファ５ａも１組のみでよい。このような構成により、シフトレジスタ１は水平走査期間内にＲＧＢ三原色の画像デジタルコードを受け取り、ＲＧＢ三原色の画像デジタルコードを出力する。サンプル保持回路２がシフトレジスタによってＯＮにされると、データバス６を介してシフトレジスタ１からデータを得る。ガンママルチプレクサ４が、選択信号１１に基づき、通電時間Ｒ：ＯＮ、Ｇ：ＯＮ、Ｂ：ＯＮに応じて各単色のガンマ基準電圧（Ｒ−Ｖref、Ｇ−Ｖref、Ｂ−Ｖref）を選択しデジタルアナログ変換器３ａへ出力すると、さらに、デジタルアナログ変換器３ａが、スイッチＲSW、ＧSW、ＢSWの通電時間Ｒ：ＯＮ、Ｇ：ＯＮ、Ｂ：ＯＮに応じ、単位利得バッファ５ａを介してデータ線ＲDL、ＧDL、ＢDLへそれぞれ出力するようになる。したがって、本実施例によれば、デジタルアナログ変換器と単位利得バッファをそれぞれ３分の２だけ減らすことができる。
【００１４】
実施例３
　単位利得バッファのファンアウトが充分であれば、さらに、図４に示すような構成とすることも可能である。ここでは、入力データフォーマットを変えることで、回路の素子数を減らしている。本実施例では、１水平走査期間内における単色の画像デジタルコードを記憶および保持するためのシフトレジスタ８およびサンプルホールド回路９をそれぞれ１組のみからなるものとする。よって、１水平走査期間内に記憶と保持をそれぞれ３回行ない、かつ、１回につき１つの単色画像デジタルコードのみを保持するといった入力データフォーマットに変更する必要がある。デジタルアナログ変換器３ａも１組のみとし、１組の単位利得バッファ５ａに接続される。このような構成により、シフトレジスタ８は、１水平走査期間内の所定の順序(sequence)でＲＧＢ三原色の画像デジタルコードを受け取り出力する。サンプル保持回路９がシフトレジスタ８によってＯＮにされ、データバス６を介してシフトレジスタ８から画像データコードを得る。ガンママルチプレクサ４が選択信号１１に基づき、通電時間Ｒ：ＯＮ、Ｇ：ＯＮ、Ｂ：ＯＮに応じて各単色のガンマ基準電圧（Ｒ−Ｖref、Ｇ−Ｖref、Ｂ−Ｖref）を選択しデジタルアナログ変換器３ａへ出力すると、さらに、デジタルアナログ変換器３ａが、スイッチＲSW、ＧSW、ＢSWの通電時間Ｒ：ＯＮ、Ｇ：ＯＮ、Ｂ：ＯＮに応じ、単位利得バッファ５ａを介してデータ線ＲDL、ＧDL、ＢDLへそれぞれ出力するようになる。よって、本実施例によれば、シフトレジスタ、サンプルホールド回路、デジタルアナログ変換器および単位利得バッファをそれぞれ３分の２だけ減らすことができるようになる。
【００１５】
実施例４
　上述した３つの実施例は、ガンマ電圧を切り換える時間の単位が１水平走査期間の３分の１であったが、切換速度を低めたい場合は、１フレーム時間内に切り換えを３回行なう方式とすることもできる。
【００１６】
　図５に示すように、本実施例では、１フレーム時間内に、ＲＧＢ三原色のサブピクセルに電圧がそれぞれ書き込まれるものとする。つまり、１フレーム時間に１色の走査が完了してから、はじめてもう１色の走査が始まるということである。この入力データフォーマットに適した素子構成は、図４に示すとおりである。ここで、ガンママルチプレクサ４の通電時間Ｒ：ＯＮ、Ｇ：ＯＮ、Ｂ：ＯＮは、それぞれ１色のフレーム時間を表わす。すなわち、１フレームが３のサブフレームに分割されるということになる。ガンママルチプレクサ４は、単色のガンマ基準電圧（Ｒ−Ｖref、Ｇ−Ｖref、Ｂ−Ｖref）をそれぞれ選択してデジタルアナログ変換器３ａへ出力し、その後、デジタルアナログ変換器３ａが単位利得バッファ５ａへと出力する。なお、この方式では、上記実施例による走査方式の３倍のフレーム時間によって１フレームの走査が完了するため、フレームレートを３倍高める必要がある。例えば、フレームレート＝６０Ｈｚである場合、フレームレートは１８０Ｈｚに高まるということであり、ガンマ電圧を切り換える速度も１８０Ｈｚとなる。
【００１７】
　本発明を説明するために好適な実施例を例示したが、以上に開示した発明に基づいての変更や修正は可能である。上に掲げた実施例は、本発明の原理を説明するための最良の態様を提示すべく選択し記載したものである。これによって、当業者は、多様な実施の形式において、また、所定の用途に応じた多種の変形を施すことによって、本発明を利用することができるようになる。なお、これら変更および修正はいずれも、前記した特許請求の範囲が適法に認められた場合に、それにより決定される本発明の範囲内において行なわれるものとする。
【図面の簡単な説明】
【００１８】
【図１】本発明の実施例１による駆動システムの波形図である。
【図２】本発明の実施例１による駆動システムの構成図である。
【図３】本発明の実施例２による駆動システムの構成図である。
【図４】本発明の実施例３による駆動システムの構成図である。
【図５】本発明の実施例４による駆動システムの波形図である。
【図６】従来技術によるガンマ基準電圧とこれに対応するデジタルコードとの変換曲線を示す図である。
【符号の説明】
【００１９】
　１、８　　シフトレジスタ
　２、９　　サンプルホールド回路
３ａ〜３ｃ　デジタルアナログ変換器
　　　４　　ガンママルチプレクサ
５ａ〜５ｃ　単位利得バッファ
　　　６　　マルチプレクサ
　　１１　　選択信号
　　１５　　シリアルデータバス
【図１】
2004133402.tif 000003
【図２】
2004133402.tif 000004
【図３】
2004133402.tif 000005
【図４】
2004133402.tif 000006
【図５】
2004133402.tif 000007
【図６】
2004133402.tif 000008